(57)【特許請求の範囲】
【請求項１】
ユーザー設備ＵＥがチャネル品質情報検出基準信号（ＣＳＩ−ＲＳ）の配置情報を検出するステップと、
ＵＥが検出結果に基いてＣＳＩ−ＲＳベースのチャネル状態の報告に必要なポート数量を確定するステップと、
ＵＥが、ポート数量と伝送方法のプリセットされた対応関係に基づいて、確定したポート数量から、基地局がコードブックベースのプリコーディング方式によって、物理ダウンリンク共有チャネル（ＰＤＳＣＨ）のデータをＰ個（Ｐは２以上の整数）のＣＳＩ−ＲＳポートにマッピングして伝送することを確定できれば、ＣＳＩ−ＲＳベースのプリコーディングマトリクス指標（ＰＭＩ）の伝送方法を用いる必要があると判断するステップと、
ＵＥが確定結果に基いてチャネル状態の情報を計算し、かつ、報告するステップとを備え、
ここで、コードブックベースのプリコーディング方式は、公式
0005711384.tif 000027
が表す方式であり、
Ｗは、プリコーディングマトリクスが構成するコードブックを表し、
Ｓは、ランク指標（ＲＩ）値と等しい数のデータ層によって構成するＰＤＳＣＨデータであり、
0005711384.tif 000028
は、Ｐ個のＣＳＩ−ＲＳポートにてデータが構成するベクトルを表すことを特徴とするチャネル状態の報告方法。
【請求項２】
プリセットされたポート数量と伝送方法の対応関係は、ポート数量が１であれば、非ＰＭＩ伝送方法に対応することを特徴とする請求項１に記載のチャネル状態の報告方法。
【請求項３】
確定した伝送方法がＣＳＩ−ＲＳベースのＰＭＩ伝送方法である場合、報告したチャネル状態の情報はＣＱＩ、ＰＭＩおよびＲＩを備えることを特徴とする請求項２に記載のチャネル状態の報告方法。
【請求項４】
確定した伝送方法がＣＳＩ−ＲＳベースのＰＭＩ伝送方法である場合、ＵＥが確定結果に基いてチャネル状態の情報を計算し、かつ、報告するステップは、
ＵＥが確定したマッピング方式に基いて各周波数領域の報告単位のためにＰＭＩを計算し、かつ、報告するステップと、
ＵＥが確定したマッピング方式に基いて全帯域幅のためにＲＩを計算し、かつ、報告するステップと、
ＵＥが確定したマッピング方式およびＰＭＩとＲＩに基いてＣＱＩを計算し、かつ、報告するステップと
を備えることを特徴とする請求項３に記載のチャネル状態の報告方法。
【請求項５】
ＵＥがＣＳＩ−ＲＳベースのＰＭＩ伝送方法および算出したＲＩに基いてＣＱＩを計算し、かつ、報告するステップは、
ＲＩが１と等しい場合、ＵＥが各周波数領域の報告単位において１個のＣＱＩを計算し、かつ、報告するステップと、
ＲＩが１より大きい場合、ＵＥが各周波数領域の報告単位において２つのコードワードに対してそれぞれＣＱＩを計算し、かつ、報告するステップと
を備えるを特徴とする請求項４に記載のチャネル状態の報告方法。
【請求項６】
ＵＥが、基地局が公式
0005711384.tif 000029
が表す方式を用いてＰＤＳＣＨのデータをＰ個のＣＳＩ−ＲＳポートにマッピングし、かつ、伝送すると確定する場合、
ＵＥは、基地局が
0005711384.tif 000030
の方式を用いてＰＤＳＣＨデータをＰ個のＣＳＩ−ＲＳポートにマッピングして伝送すると確認し、同時に、基地局が同様の方式を用いてＤＭＲＳを前記Ｐ個のＣＳＩ−ＲＳポートにマッピングして伝送することを確認し、
ＵＥは、基地局が前記マッピング過程においてＵＥから推薦された、コードブックにおけるプリコーディングマトリクスＷに対応するＰＭＩ／ＲＩを使用すると確認し、
ここで、
0005711384.tif 000031
は、
0005711384.tif 000032
を表し、
0005711384.tif 000033
は、Ｓを表し、
0005711384.tif 000034
は、第ｋ個のサブキャリア、第l個のＯＦＤＭシンボル、第ｐ個のＣＳＩ−ＲＳポートにて伝送するシンボルを表し、
0005711384.tif 000035
は、第ｋ個のサブキャリア、第ｌ個のＯＦＤＭシンボル、第ｐ個のポートにおけるＰＤＳＣＨデータまたはＤＭＲＳシンボルを表し、
υは、ＰＤＳＣＨの層ナンバを表すことを特徴とする請求項１〜５のいずれかに記載のチャネル状態の報告方法。
【請求項７】
チャネル品質情報検出基準信号（ＣＳＩ−ＲＳ）の配置情報を検出する検出モジュールと、
検出結果に基いてＣＳＩ−ＲＳベースのチャネル状態の報告に必要なポート数量を確定するポート数量モジュールと、
基地局がコードブックベースのプリコーディング方式によって、物理ダウンリンク共有チャネル（ＰＤＳＣＨ）のデータをＰ個（Ｐは２以上の整数）のＣＳＩ−ＲＳポートにてマッピングし、かつ、伝送することを確定できれば、ポート数量と伝送方法のプリセットされた対応関係に基づいて、確定したポート数量から、ＵＥがＣＳＩ−ＲＳベースのプリコーディングマトリクス指標（ＰＭＩ）伝送方法を用いる必要があると判断する伝送モードモジュールと、
判断結果に基づき、チャネル状態の情報を計算し、かつ、報告する報告モジュールとを備え、
ここで、コードブックベースのプリコーディング方式は、公式
0005711384.tif 000036
が表す方式であり、
Ｗは、プリコーディングマトリクスが構成するコードブックを表し、
Ｓは、ランク指標（ＲＩ）値と等しい数のデータ層によって構成するＰＤＳＣＨデータ
であり、
0005711384.tif 000037
は、Ｐ個のＣＳＩ−ＲＳポートにおいてデータが構成するベクトルを表すことを特徴とするユーザー設備。
【請求項８】
プリセットされたポート数量と伝送方法の対応関係は、ポート数量は１であれば、非ＰＭＩ伝送方法に対応することを特徴とする請求項７に記載のユーザー設備。
【請求項９】
確定した伝送方法がＣＳＩ−ＲＳベースのＰＭＩ伝送方法である場合、報告したチャネル状態の情報は、ＣＱＩ、ＰＭＩおよびＲＩを備えることを特徴とする請求項８に記載のユーザー設備。
【請求項１０】
確定した伝送方法がＣＳＩ−ＲＳベースのＰＭＩ伝送方法である場合、報告モジュールは、確定したマッピング方式に基いて各周波数領域の報告単位のためにＰＭＩを計算し、かつ、報告、また、確定したマッピング方式に基いて全帯域幅のためにＲＩを計算し、かつ、報告し、さらに、確定したマッピング方式、ＰＭＩおよびＲＩに基いてＣＱＩを計算し、かつ、報告することを特徴とする請求項８に記載のユーザー設備。
【請求項１１】
ＲＩが１と等しい場合、報告モジュールは各周波数領域の報告単位において１個のＣＱＩを計算し、かつ、報告し、
ＲＩが１より大きい場合、報告モジュールは、各周波数領域の報告単位にて２つのコードワードに対してそれぞれＣＱＩを計算し、かつ、報告することを特徴とする請求項１０に記載のユーザー設備。
【請求項１２】
伝送モードモジュールは、基地局が公式
0005711384.tif 000038
が表す方式を用いてＰＤＳＣＨのデータＰ個のＣＳＩ−ＲＳポートにマッピングして伝送すると確定する場合、
伝送モードモジュールは、基地局が
0005711384.tif 000039
の方式を用いてＰＤＳＣＨデータをＰ個のＣＳＩ−ＲＳポートにマッピングして伝送すると確認し、同時に、基地局が同様な方式を用いてＤＭＲＳを前記Ｐ個のＣＳＩ−ＲＳポートにマッピングして伝送することを確認し、
また、伝送モードモジュールは、基地局が前記マッピング過程においてＵＥから推薦された、コードブックにおけるプリコーディングマトリクス（Ｗ）に対応するＰＭＩ／ＲＩを使用することを確認し、
ここで、
0005711384.tif 000040
は、
0005711384.tif 000041
を表し、
0005711384.tif 000042
は、Ｓを表し、
0005711384.tif 000043
は、第ｋ個のサブキャリア、第ｌ個のＯＦＤＭシンボル、第ｐ個のＣＳＩ−ＲＳポートにて伝送するシンボルを表し、
0005711384.tif 000044
は、第ｋ個のサブキャリア、第ｌ個のＯＦＤＭシンボル、第ｐ個のポートにおけるＰＤＳＣＨデータまたはＤＭＲＳシンボルを表し、
υは、ＰＤＳＣＨの層ナンバを表すことを特徴とする請求項７〜１１に記載のユーザー設備。
【発明の詳細な説明】
【技術分野】
【０００１】
本発明は、通信分野に関し、特に、チャネル状態の報告方法およびその装置に関する。
【背景技術】
【０００２】
本出願は、２０１０年１２月２日に中国特許局に提出し、出願番号が２０１０１０５６９７２２．０であり、発明名称が「チャネル状態の報告方法およびその装置」である中国特許出願を基礎とする優先権を主張し、その開示の総てをここに取り込む。
チャネル品質情報は、ネットワーク側が各種アダプティブな調整およびスケジューリングを行う重要な基礎である。
ＬＴＥ（Ｌｏｎｇ  Ｔｅｒｍ  Ｅｖｏｌｕｔｉｏｎ，ロング・ターム・エボリューション）において、チャネル品質を４ｂｉｔ（ビット）のＣＱＩ（Ｃｈａｎｎｅｌ  Ｑｕａｌｉｔｙ  Ｉｎｄｉｃａｔｏｒ，チャネル品質指標）に量子化し、各ＣＱＩのラベルは、全て変調方式とコーディング速度の組み合わせに対応する。
ＵＥがＣＱＩを計算する場合、それが位置する伝送モードに基づきＰＤＳＣＨ（Ｐｈｙｓｉｃａｌ  Ｄｏｗｎｌｉｎｋ  Ｓｈａｒｅｄ  Ｃｈａｎｎｅｌ，物理ダウンリンク共有チャネル）の伝送方法を仮定しなければならない。
例えば、ＬＴＥ  Ｒｅｌ−９（バージョン９）にて定義するＣＱＩ計算をする場合、ＰＤＳＣＨ伝送方法の仮定方法は図１に示す通りである。
【０００３】
ＴＭ（Ｔｒａｎｓｍｉｓｓｉｏｎ  Ｍｏｄｅ，伝送モード）４−６において、ＵＥ（Ｕｓｅｒ  Ｅｘｐｅｒｉｅｎｃｅ，ユーザー設備）は、全てＣＲＳ（Ｃｅｌｌ−ｓｐｅｃｉｆｉｃ  ｒｅｆｅｒｅｎｃｅ  ｓｉｇｎａｌｓ，セル固有の基準信号）に対する検出に基づき、それが推薦するＰＭＩ（Ｐｒｅｃｏｄｉｎｇ  Ｍａｔｒｉｘ  Ｉｎｄｉｃａｔｏｒ，プリコーディングマトリクス指標）を計算し、かつ、報告しなければならない。
ＵＥがＣＱＩを報告する場合、ｅＮＢ（ｅｖｏｌｖｅｄ  Ｎｏｄｅ  Ｂ，発展型基地局）が、ＵＥから報告受けたＰＭＩを使用すると仮定する。
ＴＭ７において非コードブック（ｎｏｎ−ｃｏｄｅｂｏｏｋ）のプリコーディング方式が用いられており、ＵＥは、ｅＮＢへＣＱＩを報告するだけでよく、ｅＮＢによってプリコーディングまたはフォーミングベクトルを計算する。
ＴＭ８においてＰＭＩとｎｏｎ−ＰＭＩ（非ＰＭＩ）の２種類のフィードバック方式を支援でき、ＵＥは、上層により配置されたフィードバック方式と具体的な報告モードに従い、ＣＲＳに対する検出に基づき報告量（ＰＭＩ／ＲＩ（Ｒａｎｋ  Ｉｎｄｉｃａｔｉｏｎ，ランク指標）／ＣＱＩまたはＣＱＩ）を生成できる。
【発明の概要】
【発明が解決しようとする課題】
【０００４】
ＬＴＥ−Ａ（ＬＴＥ−Ａｄｖａｎｃｅｄ，ロング・ターム・エボリューション・アドバンスト）システムにおいて、より高い階数のＭＩＭＯ（Ｍｕｌｔｉｐｌｅ−Ｉｎｐｕｔ  Ｍｕｌｔｉｐｌｅ−Ｏｕｔ−ｐｕｔ，多入力多出力）伝送（最多８個のデータ層を支援する）および後継バージョンにおけるマルチセルジョイント処理機能を支援するため、新たに定義するＣＳＩ−ＲＳ（ＣＳＩ  ｒｅｆｅｒｅｎｃｅ  ｓｉｇｎａｌｓ，チャネル品質情報検出基準信号）を導入する。
ＴＭ９において、ＤＭＲＳ（Ｄｅ  Ｍｏｄｕｌａｔｉｏｎ  Ｒｅｆｅｒｅｎｃｅ  Ｓｉｇｎａｌ，復調基準信号）による復調方式を用い、ＣＳＩ−ＲＳの役割は、検出のみで復調ではない。
ＴＭ８と類似して、ｅＮＢは、ハイレベルシグナルにより、ＵＥの報告モードをＰＭＩまたはｎｏｎ−ＰＭＩ形式と配置できる。
ＴＭ９において動作するｎｏｎ−ＰＭＩ報告モードの場合、ＵＥのＣＱＩ報告は、ＣＲＳに基づき実行される。
ＴＭ９において動作し、かつ、ＰＭＩ報告に設置されるＵＥは、ＣＳＩ−ＲＳの検出に基づき、ＣＱＩ／ＰＭＩ／ＲＩ等の報告情報を生成できる。
このような場合、ＣＳＩ−ＲＳによる伝送方法が存在しないため、ＵＥは、ＣＱＩ計算をする際に、ＰＤＳＣＨがどのＣＳＩ−ＲＳによる伝送方法を用いるかを仮定できないため、ＣＳＩ−ＲＳによりチャネル状態を報告することができなくなる。
【課題を解決するための手段】
【０００５】
本発明に係る実施形態は、ＣＳＩ−ＲＳベースのチャネル状態の報告を実現するチャネル状態の報告方法およびその装置を提供する。
【０００６】
本発明に係るチャネル状態の報告方法は、
ユーザー設備ＵＥがチャネル品質情報検出基準信号（ＣＳＩ−ＲＳ）の設置情報を検出するステップと；
ＵＥが検出結果に基いてＣＳＩ−ＲＳベースのチャネル状態の報告に必要なポート数量を確定するステップと；
ＵＥが、基地局がコードブックベースのプリコーディング方式によって、物理ダウンリンク共有チャネル（ＰＤＳＣＨ）のデータをＰ個のＣＳＩ−ＲＳポートにマッピングして伝送することを確定できれば、確定したポート数量、プリセットされたポート数量と伝送方法の対応関係に基いてＣＳＩ−ＲＳベースのプリコーディングマトリクス指標（ＰＭＩ）の伝送方法を用いる必要があると確認するステップと、
ＵＥが確定結果に基いてチャネル状態の情報を計算して報告するステップとを備える。
ここで、コードブックベースのプリコーディング方式は、公式
0005711384.tif 000002
が表す方式であり、
Ｗは、プリコーディングマトリクスが構成するコードブックを表し、
Ｓは、ランク指標（ＲＩ）の値と等しい数のデータ層によって構成するＰＤＳＣＨデータであり、
0005711384.tif 000003
は、Ｐ個のＣＳＩ−ＲＳポートにおけるデータが構成するベクトルを表す。
【０００７】
本発明に係るユーザー設備は、
チャネル品質情報検出基準信号（ＣＳＩ−ＲＳ）の配置情報を検出する検出モジュールと、
検出結果に基いてＣＳＩ−ＲＳベースのチャネル状態の報告に必要なポート数量を確定するポート数量モジュールと、
基地局がコードブックベースのプリコーディング方式によって、物理ダウンリンク共有チャネル（ＰＤＳＣＨ）のデータをＰ個のＣＳＩ−ＲＳポートにマッピングして伝送することを確定できれば、確定したポート数量、プリセットされたポート数量と伝送方法の対応関係に基づき、基地局がＣＳＩ−ＲＳベースのプリコーディングマトリクス指標（ＰＭＩ）の伝送方法を用いる必要があると確定する伝送モードモジュールと、
確定結果に基いてチャネル状態の情報を計算して報告する報告モジュールとを備える。
ここで、コードブックベースのプリコーディング方式は、公式
0005711384.tif 000004
が表す方式であり、
Ｗは、プリコーディングマトリクスが構成するコードブックを表し、
Ｓは、ランク指標（ＲＩ）の値と等しい数のデータ層によって構成するＰＤＳＣＨデータであり、
0005711384.tif 000005
は、Ｐ個のＣＳＩ−ＲＳポートにてデータが構成するベクトルを表す。
【発明の効果】
【０００８】
本発明に係る実施形態によれば、ＵＥはＣＳＩ−ＲＳベースのチャネル状態の報告に必要なポート数量によって、対応する伝送モードを確定し、かつ、確定した伝送方法を利用してチャネル状態の情報を報告する。
これによって、従来技術においてＣＳＩ−ＲＳにより、基地局が用いる伝送方法を確定できず、そのため、チャネル状態の情報を報告できないという問題を解決できる。
【図面の簡単な説明】
【０００９】
【図１】従来技術における伝送方法と伝送整理番号の関係図。
【図２】本発明の実施形態においてチャネル状態を報告する主な方法のフロー図。
【図３】本発明の実施形態においてｎｏｎ−ＰＭＩ伝送方法を用いてチャネル状態の情報を報告する方法のフロー図。
【図４】本発明の実施形態におけるＣＳＩ−ＲＳベースのＰＭＩ伝送方法を用いるチャネル状態の情報の報告方法のフロー図。
【図５】本発明の実施形態におけるＵＥの構造を示す図。
【発明を実施するための形態】
【００１０】
本発明の実施形態において、ＵＥは、ＣＳＩ−ＲＳベースのチャネル状態の報告に必要なポート数量によって、対応する伝送方法を確定し、かつ、確定した伝送方法を利用してチャネル状態の情報を報告する。
これによって、従来技術において、ＣＳＩ−ＲＳにより基地局が用いる伝送方法を確定できず、さらに、チャネル状態の情報を報告できないという問題を解決する。
【００１１】
図２に示す、本実施形態においてチャネル状態の情報を報告する主な方法のフローは、以下のステップ２０１からステップ２０４を備える。
【００１２】
ステップ２０１において、ＵＥは、ＣＳＩ−ＲＳの配置情報を検出する。
【００１３】
ステップ２０２において、ＵＥは、検出結果に基づき、ＣＳＩ−ＲＳベースのチャネル状態の報告に必要なポート数量を確定する。
ここで、ＣＳＩ−ＲＳの配置情報は、ポート数量を含み、ＵＥは、配置情報の検出によってポート数量を獲得できる。
【００１４】
ステップ２０３において、ＵＥは、確定したポート数量、プリセットされたポート数量と伝送方法の対応関係に基づき、ＵＥの伝送方法を確定する。
【００１５】
ステップ２０４において、ＵＥは、確定した伝送方法に基づき、チャネル状態の情報を計算して報告する。
【００１６】
ここで、ＣＳＩ−ＲＳベースのチャネル状態の報告に必要なポート数量が１である場合、ＵＥは、ｅＮＢがＰＤＳＣＨにて伝送すると仮定すれば、単一ポート（例えば、ｐｏｒｔ０（ポート０））を介して伝送する。
この時、コードブックを使う必要がないため、ＵＥは、ｎｏｎ−ＰＭＩ伝送方法を用いる。
ＣＳＩ−ＲＳベースのチャネル状態の報告に必要なポート数量Ｐが１より大きい場合、
ＵＥは、ｅＮＢがコードブックベースのプリコーディング方式によってＰＤＳＣＨのデータをＰ個のＣＳＩ−ＲＳポートにマッピングして伝送すると仮定する。
この時、コードブックを用いなければならないため、ＵＥは、ＣＳＩ−ＲＳベースのＰＭＩ伝送方法を用いる。
好ましくは、コードブックベースのプリコーディング方式は、公式
0005711384.tif 000006
が表す方式である。
ここで、Ｗは、Ｐ×ＲＩ次元マトリクスであり、プリコーディングマトリクスが構成するコードブックを表し、特に、Ｒｅｌ−１０によって定義するプリコーディングマトリクスが構成するコードブックを選択する。
Ｓは、ＲＩ値と等しい数のデータ層によって構成するＰＤＳＣＨデータである。
ＲＩは、ＵＥが報告するｒａｎｋ（ランク）指標である。
0005711384.tif 000007
は、Ｐ個のＣＳＩ−ＲＳポートにおいてデータが構成するベクトルを表す。
【００１７】
具体的に、ＵＥは、基地局が
0005711384.tif 000008
の方式を用いてＰＤＳＣＨデータをＰ個のＣＳＩ−ＲＳポートにマッピングして伝送すると確認し、同時に、基地局が同様の方式を用いてＤＭＲＳを前記Ｐ個のＣＳＩ−ＲＳポートのマッピングして伝送することを確認する。
ここで、
0005711384.tif 000009
は、
0005711384.tif 000010
を表し、
0005711384.tif 000011
は、Ｓを表し、
0005711384.tif 000012
は、第ｋ個のサブキャリア、第ｌ個のＯＦＤＭシンボル、第ｐ個のＣＳＩ−ＲＳポートにて伝送するシンボルを表す。
0005711384.tif 000013
は、第ｋ個のサブキャリア、第ｌ個のＯＦＤＭシンボル、第ｐ個のポートでのＰＤＳＣＨデータまたはＤＭＲＳシンボルを表し、υは、ＰＤＳＣＨの層ナンバを表す。
ここで、ＵＥは、基地局がマッピング過程においてＵＥから推薦されたＰＭＩ／ＲＩを使用すると確認し、このＰＭＩ／ＲＩは、コードブックにおけるプリコーディングマトリクスであるＷに対応する。
【００１８】
多様な伝送方法があるため、以下に、２つの実施形態により各伝送モードについて詳細に報告過程を説明する。
【００１９】
図３に示す本実施形態において、ｎｏｎ−ＰＭＩ伝送方法を用いてチャネル状態の情報を報告する方法のフローは、以下のステップ３０１からステップ３０６を備える。
【００２０】
ステップ３０１において、ＵＥが、ネットワークにアクセスされた後、システムブロードキャストを介してＣＳＩ−ＲＳの時間周波数位置、周期およびポート数等を備える配置情報を獲得する。
【００２１】
ステップ３０２において、ＵＥは、ＣＳＩ−ＲＳの配置情報を検出し、チャネル伝送マトリクス
0005711384.tif 000014
を獲得する。
ここで、
0005711384.tif 000015
は、第ｊ個送信アンテナから第ｉ個受信アンテナまでの間のチャネル伝送係数を表し、ＲとＴは、それぞれ受信と送信アンテナの数である。
同時に、ＵＥは、受信した干渉とノイズを検出することができる。
【００２２】
ステップ３０３において、ＵＥは、ステップ３０１の検出結果に基づき、ＣＳＩ−ＲＳベースのチャネル状態の報告に必要なポート数量を確定し、かつ、ポート数量が１であると分かる。
【００２３】
ステップ３０４において、ＵＥは、ポート数量が１であることに基づき、ｅＮＢが単一ポートを介してＰＤＳＣＨにて伝送することを確定する。
【００２４】
ステップ３０５において、ＵＥは、ｅＮＢが単一ポートを介してＰＤＳＣＨにて伝送動作を行うことに基づき、ｎｏｎ−ＰＭＩ伝送方法を確定する。
【００２５】
ステップ３０６において、ＵＥは、ｎｏｎ−ＰＭＩ伝送方法に基づき、ＣＱＩを計算し、かつ、報告する。
特に、各周波数領域の報告単位（例、ブロードバンドまたはサブバンド）のためにＣＱＩを計算し、かつ、報告する。
この時、コードブックは必要ではないため、ＣＱＩを報告するだけでよい。
【００２６】
図４に示す本実施形態において、ＣＳＩ−ＲＳベースのＰＭＩ伝送方法を用いてチャネル状態の情報を報告する方法のフローは、以下のステップ４０１からステップ４０８までを備える。
【００２７】
ステップ４０１において、ＵＥは、ネットワークにアクセスされた後、システムブロードキャストを介してＣＳＩ−ＲＳの配置情報を獲得する。
【００２８】
ステップ４０２において、ＵＥは、ＣＳＩ−ＲＳの配置情報を検出し、チャネル伝送マトリクス
0005711384.tif 000016
を獲得する。
同時に、ＵＥは、受信した干渉とノイズを検出することができる。
【００２９】
ステップ４０３において、ＵＥは、ステップ４０１の検出結果に基づき、ＣＳＩ−ＲＳベースのチャネル状態の報告に必要なポート数量を確定し、かつ、ポート数量が１より大きいと分かる。
【００３０】
ステップ４０４において、ＵＥは、ポート数量が１より大きいことに基いて、ｅＮＢが
0005711384.tif 000017
方式によってＰＤＳＣＨのデータをＰ個のＣＳＩ−ＲＳポートにマッピングして伝送することを確定する。
【００３１】
ステップ４０５において、ＵＥは、すでに確定したｅＮＢの動作に基づき、ＣＳＩ−ＲＳベースのＰＭＩ伝送方法を確定する。
【００３２】
ステップ４０６において、ＵＥは、ＣＳＩ−ＲＳベースのＰＭＩ伝送方法に基づき、各周波数領域の報告単位のためにＰＭＩを計算し、かつ、報告する。
ＰＭＩは、Ｗがコードブックにおいて対応するラベルを表す。
【００３３】
ステップ４０７において、ＵＥは、ＣＳＩ−ＲＳベースのＰＭＩ伝送方法に基づき、全帯域幅にＲＩを計算し、かつ報告する。
【００３４】
ステップ４０８において、ＵＥは、ＣＳＩ−ＲＳベースのＰＭＩ伝送方法および算出したＲＩに基づき、ＣＱＩを計算し、かつ、報告する。
特に、各周波数領域の報告単位（例、ブロードバンドまたはサブバンド）のためにＣＱＩを計算し、かつ、報告する。
ＲＩが１と等しい場合、ＵＥは、各周波数領域の報告単位にてＣＱＩを計算し、かつ、報告する。
ＲＩが１より大きい場合、ＵＥは、各周波数領域の報告単位にて２つのコードワードに対してそれぞれＣＱＩを計算し、かつ、報告する。
【００３５】
上述の説明によってチャネル状態の情報を報告する実施過程を理解できる。
この過程は、主に、ＵＥによって実現する。
以下に、ＵＥの内部構造と機能を説明する。
【００３６】
図５に示す本実施形態におけるＵＥは、検出モジュール５０１と、ポート数量モジュール５０２と、伝送モードモジュール５０３と、報告モジュール５０４とを備える。
【００３７】
検出モジュール５０１は、チャネル品質情報検出基準信号（ＣＳＩ−ＲＳ）を検出する。
検出モジュール５０１は、チャネル伝送マトリクス
0005711384.tif 000018
を獲得する。
同時に、検出モジュール５０１は、受信した干渉とノイズを検出することがさらにできる。
【００３８】
ポート数量モジュール５０２は、検出結果に基いてＣＳＩ−ＲＳベースのチャネル状態の報告に必要なポート数量を確定する。
【００３９】
伝送モードモジュール５０３は、確定したポート数量、プリセットされたポート数量と伝送方法の対応関係に基づき、基地局が用いる伝送方法を確定する。
プリセットされたポート数量と伝送方法の対応関係は、ポート数量が１であれば、非ＰＭＩ伝送方法に対応することと、
ポート数量が１より大きければ、ＣＳＩ−ＲＳベースのＰＭＩ伝送方法に対応することと、
を含む。
伝送モードモジュール５０３は、ポート数量が１であることに基づき、ｅＮＢが単一ポートを介してＰＤＳＣＨにて伝送することを確定し、さらに、非ＰＭＩ伝送方法を確定する。
または、伝送モードモジュール５０３は、ポート数量が１より大きいことに基づき、ｅＮＢがコードブックベースのプリコーディング方式によってＰＤＳＣＨのデータをＰ個のＣＳＩ−ＲＳポートにマッピングし、かつ、伝送することを確定し、さらに、ＣＳＩ−ＲＳベースのＰＭＩ伝送方法を確定する。
コードブックベースのプリコーディング方式は、公式
0005711384.tif 000019
が表す方式を備える。
ここで、Ｗは、プリコーディングマトリクスが構成するコードブックを表し、
Ｓは、ＲＩ個データ層によって構成するＰＤＳＣＨデータであり、
0005711384.tif 000020
は、Ｐ個のＣＳＩ−ＲＳポートにおいてデータが構成するベクトルを表す。
【００４０】
具体的に、伝送モードモジュール５０３は、基地局が
0005711384.tif 000021
の方式を用いてＰＤＳＣＨデータをＰ個のＣＳＩ−ＲＳポートにマッピングして伝送することを確認する。
同時に、基地局が同様の方式を用いてＤＭＲＳを前記Ｐ個のＣＳＩ−ＲＳポートにマッピングして伝送することを確認する。
ここで、
0005711384.tif 000022
は、
0005711384.tif 000023
を表し、
0005711384.tif 000024
は、Ｓを表し、
0005711384.tif 000025
は、第ｋ個のサブキャリア、第ｌ個のＯＦＤＭシンボル、第ｐ個のＣＳＩ−ＲＳポートにて伝送するシンボルを表す。
0005711384.tif 000026
は、第ｋ個のサブキャリア、第ｌ個のＯＦＤＭシンボル、第ｐ個のポートでのＰＤＳＣＨデータまたはＤＭＲＳシンボルを表し、υは、ＰＤＳＣＨのレベル数を表す。
ここで、伝送モードモジュール５０３は、基地局がマッピング過程においてＵＥから推薦もらうＰＭＩ／ＲＩを使用することを確認し、このＰＭＩ／ＲＩは、コードブックにおけるプリコーディングマトリクスであるＷに対応する。
【００４１】
報告モジュール５０４は、確定した伝送方法に基づき、チャネル状態の情報を計算し、かつ、報告する。
確定した伝送方法が非ＰＭＩ伝送方法である場合、報告したチャネル状態の情報は、チャネル品質指標（ＣＱＩ）を備える。
つまり、報告モジュール５０４は、ＣＱＩを計算し、かつ、報告する。
確定した伝送方法がＣＳＩ−ＲＳベースのＰＭＩ伝送方法である場合、報告したチャネル状態の情報は、ＣＱＩ、ＰＭＩおよびＲＩを備える。
つまり、報告モジュール５０４は、ＣＱＩ、ＰＭＩおよびＲＩを計算し、かつ、報告する。
具体的に、確定した伝送方法がＣＳＩ−ＲＳベースのＰＭＩ伝送方法である場合、報告モジュール５０４は、ＣＳＩ−ＲＳベースのＰＭＩ伝送方法に基づき、各周波数領域の報告単位のためにＰＭＩを計算し、かつ、報告する。
また、ＣＳＩ−ＲＳベースのＰＭＩ伝送方法に基づき、全帯域幅にＲＩを計算し、かつ、報告する。
そして、ＣＳＩ−ＲＳベースのＰＭＩ伝送方法および算出したＲＩに基づき、ＣＱＩを計算し、かつ、報告する。
ＲＩが１と等しい場合、報告モジュール５０４は、各周波数領域の報告単位にてＣＱＩを計算し、かつ、報告する。
ＲＩが１より大きい場合、報告モジュール５０４は、各周波数領域の報告単位において２つのコードワードを、それぞれＣＱＩを計算し、かつ報告する。
【００４２】
報告モジュール５０４は、計算ユニットとインターフェースユニットとを備える。
計算ユニットは、チャネル状態の情報を計算し、インターフェースユニットは、チャネル状態の情報を送信する。
さらに、インターフェースユニットは、システムブロードキャストを介してＣＳＩ−ＲＳの配置情報を獲得する。
【００４３】
本発明実施形態において、ＵＥはＣＳＩ−ＲＳベースのチャネル状態の報告に必要なポート数量によって、対応する伝送モードを確定し、かつ確定した伝送方法を利用してチャネル状態の情報を報告する。
従来技術において、ＣＳＩ−ＲＳにより基地局の伝送方法を確定できず、さらに、チャネル状態の情報を報告できないという問題を解決する。
本発明の実施形態は、異なるポート数量に相応の伝送モードを提供し、かつ具体的に計算と報告をしなければならないチャネル状態の情報を提供する。
【００４４】
本分野の技術者として、本発明の実施形態が、方法、システム或いはコンピュータプログラム製品を提供できるため、本発明は、完全なハードウェア実施形態、完全なソフトウェア実施形態、またはソフトウェアとハードウェアの両方を結合した実施形態を採用できることがかわるはずである。
さらに、本発明は、一つ或いは複数のコンピュータプログラム製品の形式を採用できる。
このような製品は、コンピュータ使用可能なプログラムコードを含むコンピュータ使用可能な記憶媒体（ディスク記憶装置と光学記憶装置等を含むがそれとは限らない）において実施する。
【００４５】
以上は、本発明の実施形態の方法、装置（システム）、およびコンピュータプログラム製品のフロー図および／またはブロック図によって、本発明を記述した。
理解すべきことは、コンピュータプログラム指令によって、フロー図および／またはブロック図における各フローおよび／またはブロックと、フロー図および／またはブロック図におけるフローおよび／またはブロックの結合を実現できる。
プロセッサは、これらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【００４６】
これらのコンピュータプログラム指令は、又、コンピュータ或いは他のプログラム可能なデータ処理装置を特定方式で動作させるコンピュータ読取記憶装置に記憶できる。
これによって、指令を含む装置は当該コンピュータ読取記憶装置内の指令を実行でき、フロー図における一つ或いは複数のフローおよび／またはブロック図における一つ或いは複数のブロックに指定する機能を実現する。
【００４７】
さらに、これらコンピュータプログラム指令は、コンピュータ或いは他のプログラム可能なデータ処理装置設備に実装もできる。
コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【００４８】
無論、当業者によって、上述した実施形態に記述された技術的な解決手段を改造し、或いはその中の一部の技術要素を置換することもできる。
そのような、改造と置換は、本発明の各実施形態の技術の範囲から逸脱するとは見なされない。
そのような改造と置換は、すべて本発明の請求の範囲に属する。
【図１】
0005711384.tif 000045
【図２】
0005711384.tif 000046
【図３】
0005711384.tif 000047
【図４】
0005711384.tif 000048
【図５】
0005711384.tif 000049